(57)【特許請求の範囲】
【請求項１】
対向配置された複数の無線装置の間を無線回線を介して無線接続し、前記複数の無線装置のそれぞれの複数の警報接点情報を前記複数の無線装置の中の特定無線装置が収集して出力する加入者無線システムにおける警報接点集約方法において、
前記特定無線装置に、該特定無線装置の各外部接点出力ポートに対応して前記複数の無線装置の各警報接点情報の割当を設定する集約接点設定テーブルを設け、
前記特定無線装置は、前記複数の無線装置から収集した前記複数の警報接点情報を前記集約接点設定テーブルに基づき前記特定無線装置の各外部接点出力ポートに割り当てて集約し、
該集約した集約警報接点情報を前記外部接点出力ポートに出力する
ことを特徴とする加入者無線システムにおける警報接点集約方法。
【請求項２】
前記特定無線装置の前記外部接点出力ポートから出力された集約警報接点情報を集中監視装置で受信し、
前記集中監視装置は、該受信した前記集約警報接点情報に対応する接点ステータスを前記外部接点出力ポートに対応して表示する
ことを特徴とする請求項１記載の加入者無線システムにおける警報接点集約方法。
【請求項３】
前記無線装置は、該無線装置の環境情報を検出し、
前記警報接点情報は、
該検出した前記環境情報を含む
ことを特徴とする請求項１記載の加入者無線システムにおける警報接点集約方法。
【請求項４】
対向配置された複数の無線装置の間を無線回線を介して無線接続し、前記複数の無線装置のそれぞれの複数の警報接点情報を前記複数の無線装置の中の特定無線装置が収集して出力する加入者無線システムにおける警報接点集約装置において、
前記特定無線装置は、
該特定無線装置の各外部接点出力ポートに対応して前記複数の無線装置の各警報接点情報の割当を設定する集約接点設定テーブルと、
前記複数の無線装置から収集した前記複数の警報接点情報を前記集約接点設定テーブルに基づき前記特定無線装置の各外部接点出力ポートに割り当てて集約する警報接点情報集約手段と、
前記警報接点情報集約手段により集約された集約警報接点情報を前記外部接点出力ポートに出力する警報接点情報出力手段と
を具備することを特徴とする加入者無線システムにおける警報接点集約装置。
【請求項５】
前記特定無線装置に接続された集中監視装置
を更に具備し、
前記集中監視装置は、
前記特定無線装置の前記外部接点出力ポートから出力された集約警報接点情報を受信する受信手段と、
前記受信手段で受信した前記集約警報接点情報に対応する接点ステータスを前記外部接点出力ポートに対応して表示する表示手段と
を具備することを特徴とする請求項４記載の加入者無線システムにおける警報接点集約装置。
【請求項６】
前記無線装置は、
該無線装置の環境情報を検出する環境情報検出手段
を具備し、
前記警報接点情報は、
前記環境情報検出手段で検出した環境情報を含む
ことを特徴とする請求項４記載の加入者無線システムにおける警報接点集約装置。
【請求項７】
前記無線装置は、
前記環境情報検出手段で検出した該無線装置の環境情報を該無線装置に係わる他の情報とともに表示する表示手段
を具備することを特徴とする請求項４記載の加入者無線システムにおける警報接点集約装置。
【発明の詳細な説明】
【０００１】
【発明の属する技術分野】
この発明は、対向する無線装置間を無線接続した複数の無線装置を具備する加入者無線システムにおける警報接点集約方法および装置に関し、特に、複数の無線装置の中の１つの特定無線装置で複数の無線装置から転送される警報接点情報を集約して該特定無線装置の外部接点出力ポートから出力するようにした加入者無線システムにおける警報接点集約方法および装置に関する。
【０００２】
【従来の技術】
一般に、加入者無線システムは、対応配置された複数の無線装置を用いてシステム内通信路の一部を無線回線を用いて構成したシステムで、この種の加入者無線システムにおいては、各無線装置で発生した警報情報を警報接点情報として無線回線を介して１つの無線装置に転送することで、この１つの無線装置で複数の無線装置の警報情報を収集して、この収集した警報接点情報をこの１つの無線装置の外部接点ポートから出力し、これによりシステム内の複数の無線装置の警報接点情報を集中管理するように構成されている。
【０００３】
上記構成において、従来は、各無線装置の警報接点情報の接点数を考慮して上記１つの無線装置の外部接点ポート数を決定していた。
【０００４】
例えば、各無線装置の警報接点情報の接点数が６接点であり、１対向である２台の無線装置で加入者無線システムが構成されている場合は、上記１つの無線装置の外部接点ポート数を１２に設定すれば、２台の無線装置の警報接点情報を上記１つの無線装置の外部接点ポートから出力することができる。
【０００５】
しかし、加入者無線システムを構成する無線装置の数が増えると、上記１つの無線装置で収集する各接点内容は変化するため、その都度無線装置内の警報監視制御部のソフトウエアを変更する必要があった。
【０００６】
すなわち、上述したように、加入者無線システムを構成する無線装置が１対向の２台であり、各無線装置の警報接点情報の接点数が６接点であると、上記１つの無線装置で収集する警報接点情報の接点数は自局と対向局を合わせて１２接点となるので、上記１つの無線装置の外部接点ポート数は１２で十分であるが、加入者無線システムを構成する無線装置が２対向の４台になると、上記１つの無線装置で収集する警報接点情報の接点数は自局も含めて２４接点となり、上記１２の外部接点ポート数では出力不可能になる。
【０００７】
このため、従来は、上記１つの無線装置の警報監視制御部のソフトウエアを変更することでこれに対応していた。
【０００８】
【発明が解決しようとする課題】
しかしながら、上記従来の構成においては、システム形態により警報監視制御部本体のソフトウエアの変更が必要になり、本体ファイル管理も複雑になるばかりでなく、ユーザが自由に各外部接点情報の内容を設定することができず、システムに対して柔軟に対応できないという問題があった。
【０００９】
そこで、この発明は、システム形態に対応してユーザが各外部接点情報内容を設定することで本体のソフトウエアの変更を必要としない無線システムにおける警報接点集約方法および装置を提供することを目的とする。
【００１０】
【課題を解決するための手段】
上記目的を達成するため、請求項１の発明は、対向配置された複数の無線装置の間を無線回線を介して無線接続し、前記複数の無線装置のそれぞれの複数の警報接点情報を前記複数の無線装置の中の特定無線装置が収集して出力する加入者無線システムにおける警報接点集約方法において、前記特定無線装置に、該特定無線装置の各外部接点出力ポートに対応して前記複数の無線装置の各警報接点情報の割当を設定する集約接点設定テーブルを設け、前記特定無線装置は、前記複数の無線装置から収集した前記複数の警報接点情報を前記集約接点設定テーブルに基づき前記特定無線装置の各外部接点出力ポートに割り当てて集約し、該集約した集約警報接点情報を前記外部接点出力ポートに出力することを特徴とする。
【００１１】
また、請求項２の発明は、請求項１の発明において、前記特定無線装置の前記外部接点出力ポートから出力された集約警報接点情報を集中監視装置で受信し、前記集中監視装置は、該受信した前記集約警報接点情報に対応する接点ステータスを前記外部接点出力ポートに対応して表示することを特徴とする。
【００１２】
また、請求項３の発明は、請求項１の発明において、前記無線装置は、該無線装置の環境情報を検出し、前記警報接点情報は、該検出した前記環境情報を含むことを特徴とする。
【００１３】
ここで、無線装置の環境情報とは、無線装置周辺の温度、湿度、風量、雨量、無線装置を取り付けるポールの揺れ等の情報を含む。
【００１４】
また、請求項４の発明は、対向配置された複数の無線装置の間を無線回線を介して無線接続し、前記複数の無線装置のそれぞれの複数の警報接点情報を前記複数の無線装置の中の特定無線装置が収集して出力する加入者無線システムにおける警報接点集約装置において、前記特定無線装置は、該特定無線装置の各外部接点出力ポートに対応して前記複数の無線装置の各警報接点情報の割当を設定する集約接点設定テーブルと、前記複数の無線装置から収集した前記複数の警報接点情報を前記集約接点設定テーブルに基づき前記特定無線装置の各外部接点出力ポートに割り当てて集約する警報接点情報集約手段と、前記警報接点情報集約手段により集約された集約警報接点情報を前記外部接点出力ポートに出力する警報接点情報出力手段とを具備することを特徴とする。
【００１５】
また、請求項５の発明は、請求項４の発明において、前記特定無線装置に接続された集中監視装置を更に具備し、前記集中監視装置は、前記特定無線装置の前記外部接点出力ポートから出力された集約警報接点情報を受信する受信手段と、前記受信手段で受信した前記集約警報接点情報に対応する接点ステータスを前記外部接点出力ポートに対応して表示する表示手段とを具備することを特徴とする。
【００１６】
また、請求項６の発明は、請求項４の発明において、前記無線装置は、該無線装置の環境情報を検出する環境情報検出手段を具備し、前記警報接点情報は、前記環境情報検出手段で検出した環境情報を含むことを特徴とする。
【００１７】
また、請求項７の発明は、請求項４の発明において、前記無線装置は、前記環境情報検出手段で検出した該無線装置の環境情報を該無線装置に係わる他の情報とともに表示する表示手段を具備することを特徴とする。
【００１８】
ここで、無線装置に係わる他の情報とは、該無線装置のアラーム情報、送受信レベル、ＢＥＲ（ビットエラーレート）等を含む。
【００１９】
【発明の実施の形態】
以下、この発明に係わる加入者無線システムにおける警報接点集約方法および装置の実施の形態を添付図面を参照して詳細に説明する。
【００２０】
図１は、この発明に係わる加入者無線システムにおける警報接点集約方法および装置を適用する加入者無線システムの全体構成を示すブロック図である。
【００２１】
図１において、この加入者無線システムは、２台の加入者無線装置１０-１および加入者無線装置１０−２を用いて１対向システムとして構成したものである。
【００２２】
加入者無線装置１０-１および加入者無線装置１０−２は、ＳＴＭ通信路３０−１およびＳＴＭ通信路３０−２を介してそれぞれ図示しない通信装置若しくは通信網に接続されている。
【００２３】
加入者無線装置１０-１は、対向する加入者無線装置１０-２の警報接点情報を無線回線２０を介して収集し、この収集した警報接点情報と自己の警報設定情報を合わせて外部接点出力ポート１０ａから警報接点情報収集発報装置４０へ出力する。
【００２４】
警報接点情報収集発報装置４０は、加入者無線装置１０-１から入力した加入者無線装置１０-１および加入者無線装置１０−２の警報接点情報を公衆網５０を経由してこの公衆網５０に接続された集中監視装置６０へ送信する。
【００２５】
集中監視装置６０は、警報接点情報収集発報装置４０から受信した警報接点情報に基づき加入者無線装置１０-１および加入者無線装置１０−２の警報を集中管理する。
【００２６】
さて、この実施の形態の加入者無線システムにおいては、加入者無線装置１０-１に加入者無線装置１０-１および加入者無線装置１０-２の各警報接点情報の割当を設定する集約接点設定テーブルを設け、加入者無線装置１０-２から無線回線２０を介して転送された警報接点情報および加入者無線装置１０-１の警報接点情報を上記集約接点設定テーブルに基づき集約して外部接点出力ポート１０ａから出力するように構成されている。
【００２７】
このような構成によると、加入者無線装置１０-１と加入者無線装置１０-２の警報接点情報の接点数の合計が加入者無線装置１０-１の外部接点出力ポート１０ａの数より大きくても警報接点情報の出力が可能になり、また、システム構成が変更しても集約接点設定テーブルの設定を変えるだけで、加入者無線装置１０−１の警報監視制御部本体ソフトウエアを変更することなく対応することができる。
【００２８】
図２は、図１に示した加入者無線装置１０-１および加入者無線装置１０−２の詳細構成を示すブロック図である。
【００２９】
図２において、加入者無線装置１０-１は、ＳＴＭ通信路３０-１に接続される無線装置部１１−１、無線装置部１１−１で送受信される無線フレームに所要の警報接点情報を挿入するとともに、該無線フレームから所要の警報接点情報を取り込む無線フレーム警報接点情報挿入／取込部１２−１、この加入者無線装置１０-１の警報を監視してその監視結果を警報接点情報として無線フレーム警報接点情報挿入／取込部１２−１に渡すとともに警報接点外部出力ポート１４-１へ出力する無線装置監視制御部１３−１、無線装置監視制御部１３−１から出力された警報接点情報を外部へ出力する警報接点外部出力ポート１４-１、無線装置１１-１に接続されて対向する加入者無線装置１０-２と無線回線２０を介して情報の送受を行うアンテナ１５−１を具備して構成される。
【００３０】
また、この加入者無線装置１０-１の無線装置監視制御部１３−１には、この加入者無線装置１０-１の各種設定および保守等を行う専用保守端末７０−１が接続される。
【００３１】
同様に、加入者無線装置１０-２は、ＳＴＭ通信路３０-２に接続される無線装置部１１−２、無線装置部１１−２で送受信される無線フレームに所要の警報接点情報を挿入するとともに、該無線フレームから所要の警報接点情報を取り込む無線フレーム警報接点情報挿入／取込部１２−２、この加入者無線装置１０-２の警報を監視してその監視結果を警報接点情報として無線フレーム警報接点情報挿入／取込部１２−２に渡すとともに警報接点外部出力ポート１４-２へ出力する無線装置監視制御部１３−２、無線装置監視制御部１３−２から出力された警報接点情報を外部へ出力する警報接点外部出力ポート１４-２、無線装置１１-２に接続されて対向する加入者無線装置１０-１と無線回線２０を介して情報の送受を行うアンテナ１５−２を具備して構成される。
【００３２】
また、この加入者無線装置１０-２の無線装置監視制御部１３−２には、この加入者無線装置１０-２の各種設定および保守等を行う専用保守端末７０−２が接続される。
【００３３】
上記構成において、無線装置監視制御部１３−１若しくは無線装置監視制御部１３−２には、後に図４を参照して詳述する集約接点設定テーブルが設けられており、この集約接点設定テーブルの設定により無線装置監視制御部１３−１若しくは無線装置監視制御部１３−２から警報接点外部出力ポート１４-１若しくは警報接点外部出力ポート１４-２ヘ出力する警報接点情報をユーザサイドで任意に設定変更できるように構成されている。
【００３４】
したがって、警報接点外部出力ポート１４-１若しくは警報接点外部出力ポート１４-２に図１に示した警報接点情報収集発報装置４０を接続することにより、加入者無線装置１０-１と加入者無線装置１０-２の警報接点情報の接点数の合計が加入者無線装置１０-１の警報接点外部出力ポート１４-１若しくは加入者無線装置１０-２の警報接点外部出力ポート１４-２の数より大きくても警報接点情報の出力が可能になり、また、システム構成が変更しても集約接点設定テーブルの設定を変えるだけで加入者無線装置１０−１の無線装置監視制御部１３−１若しくは加入者無線装置１０-２の無線装置監視制御部１３−２の本体ソフトウエアを変更することなく対応することができる。
【００３５】
図３は、４台の加入者無線装置Ａ局からＤ局を用いて２対向システムとして構成した加入者無線システムの無線装置配置例を示す図である。
【００３６】
図３において、Ａ局は、ＳＴＭ通信路３０-１に接続されるとともにＢ局の無線装置１０-２と無線回線２０−１を介して接続される無線装置１０-１を具備して構成される。
【００３７】
また、Ｂ局は、Ａ局の無線装置１０-１と無線回線２０−１を介して接続される無線装置（以下、Ａ局側無線装置という）１０−２、Ｃ局の無線装置１０-４と無線回線２０−２を介して接続される無線装置（以下、Ｃ局側無線装置という）１０−３、Ａ局側無線装置１０-２とＣ局側無線装置１０−３との間を中継する中継部８０−１を具備して構成される。
【００３８】
また、Ｃ局は、Ｂ局の無線装置１０-３と無線回線２０−２を介して接続される無線装置（以下、Ｂ局側無線装置という）１０−４、Ｄ局の無線装置１０-６と無線回線２０−３を介して接続される無線装置（以下、Ｄ局側無線装置という）１０−５、Ｂ局側無線装置１０-４とＤ局側無線装置１０−５との間を中継する中継部８０−２を具備して構成される。
【００３９】
また、Ｄ局は、Ｃ局の無線装置１０-５と無線回線２０−３を介して接続されるとともにＳＴＭ通信路３０-２に接続される無線装置１０-６を具備して構成される。
【００４０】
図４は、図３に示したシステム構成を想定した場合の集約接点設定テーブルの一例を示す図である。
【００４１】
図４においては、警報接点情報を外部へ出力する加入者無線装置の接点外部出力ポートの数が「１２」である場合を示している。
【００４２】
また、図３に示したＡ局を構成する無線装置１０−１、Ｂ局を構成するＡ局側無線装置１０−２およびＣ局側無線装置１０−３、Ｃ局を構成するＢ局側無線装置１０−４およびＤ局側無線装置１０−５、Ｄ局を構成する無線装置１０-６は、いずれも装置接点として「Ｏ」から「Ｔ」の６接点を有しているとしている。
【００４３】
この場合、無線装置１０−１〜１０-６の装置接点の合計数は「３６」となり、「１２」の接点外部出力ポートからはそのまま出力することはできない。
【００４４】
そこで、図４に示した集約接点設定テーブルの設定により警報設定情報の集約が行われる。
【００４５】
図４に示す集約接点設定テーブルは、接点外部出力ポートの「１」から「１２」の接点番号（接点Ｎｏ）に対応して設けられる。
【００４６】
この場合、接点番号が「１」の接点外部出力ポートには、接点名称「ＡＡＡＡＡＡ」がつけられ、この接点名称「ＡＡＡＡＡＡ」がつけられた接点番号が「１」の接点外部出力ポートに図３に示したＡ局の装置接点「Ｏ」、「Ｐ」、「Ｑ」が割り当てられている。
【００４７】
したがって、Ａ局の装置接点「Ｏ」、「Ｐ」、「Ｑ」の警報接点情報は、接点名称「ＡＡＡＡＡＡ」がつけられた接点番号が「１」の接点外部出力ポートに集約されて出力される。
【００４８】
なお、この集約の仕方はユーザ設定により任意であり、例えば、この接点名称「ＡＡＡＡＡＡ」がつけられた接点番号が「１」の接点外部出力ポートに図３に示したＡ局の装置接点「Ｏ」、Ｂ局のＡ局側無線装置１０−２の装置接点「Ｏ」、Ｂ局のＣ局側無線装置１０−３の装置接点「Ｏ」というように異なる局間の装置接点を割り当てることも可能である。また、この場合割り当てる装置接点がそれぞれ異なっていてもよい。
【００４９】
このようにして集約接点設定テーブルに基づき集約された警報接点情報は、図１に示した警報接点情報収集発報装置４０、公衆網５０を経由して集中監視装置６０へ送信される。
【００５０】
集中監視装置６０では、接点外部出力ポートにつけられた接点名称に基づき警報が図示しない表示装置により表示される。
【００５１】
図５は、図１に示した集中監視装置６０に設けられた表示装置の表示イメージを示す図である。
【００５２】
図１に示した集中監視装置６０では、接点外部出力ポートにつけられた接点名称に対応して警報、すなわち正常／異常の接点ステータスが表示される。
【００５３】
例えば、図６において、接点名称「ＡＡＡＡＡＡ」に対応して接点ステータスがが「異常」と表示される場合、図４の集約接点設定テーブルのように、接点名称「ＡＡＡＡＡＡ」がつけられた接点番号が「１」の接点外部出力ポートに図３に示したＡ局の装置接点「Ｏ」、「Ｐ」、「Ｑ」が割り当てられているとすると、Ａ局の装置接点「Ｏ」、「Ｐ」、「Ｑ」のいずれかで異常が発生していると判別できる。
【００５４】
なお、図４の集約接点設定テーブルの割当の工夫により、上記集約にかかわらず集中監視装置６０では、実際の運用上問題が生じない程度の異常の個所の特定が可能である。
【００５５】
さて、上記構成においては、加入者無線装置の警報接点情報に基づく警報転送を想定したが、各加入者無線装置に該加入者無線装置の環境情報、例えば、温度、湿度、風量、雨量、加入者無線装置が設置されているポールの揺れ等を検出するセンサを設け、これらのセンサから得られる情報を上記警報接点情報と同等に扱って転送することも可能である。
【００５６】
すなわち、加入者無線装置にかかわるアラーム情報、送受信レベル、ＢＥＲ以外に温度、湿度、風量、雨量、加入者無線装置が設置されているポールの揺れ等の加入者無線装置の環境情報も異常検知のために非常に重要である。
【００５７】
図６は、加入者無線装置の環境情報の検出を含めたこの発明の加入者無線システムで採用される加入者無線装置の他の実施の形態を示すブロック図である。
【００５８】
図６に示す加入者無線装置は、主に屋内に設置されるＩＤＯ（屋内ユニット）１００と主に屋外に設置されるＯＤＵ（屋外ユニット）２００を具備して構成される。
【００５９】
なお、図１乃至図３に示した加入者無線装置も実際は図６に示したようにＩＤＵとＯＤＵとから構成されている。
【００６０】
図６において、ＩＤＵ１００は、ＳＴＭ通信路１６０に接続されるとともにＯＤＵ２００との間で無線フレームを送受する変復調部１１０、ＯＤＵ２００との間で送受される無線フレームに対して制御情報および監視情報の挿入および取込を行う制御／監視情報入力部１２０、このＩＤＵ１００の全体動作を統括制御するＣＯＵ部１３０、外部との情報の送受を行う外部入出力部１４０、各種情報を表示する表示部１５０を具備して構成される。
【００６１】
ここで、変復調部１１０には、アラームを検出するアラーム検出部１１１、ＢＥＲを検出するＢＥＲ検出部１１２が設けられる。
【００６２】
ＯＤＵ２００は、ＩＤＵ１００の変復調部１１０に接続されるとともにアンテナ３００に接続されるＲＦ部２１０、ＩＤＵ１００の変復調部１１０との間で送受される無線フレームに対して制御情報および監視情報の挿入および取込を行う制御／監視情報入力部２２０を具備して構成される。
【００６３】
ここで、ＲＦ部２１０には、送受信レベルを検出する送受レベル検出部２１１、アラームを検出するアラーム検出部２１２が設けられる。
【００６４】
また、ＩＤＵ１００の外部入出力部１４０には、この加入者無線装置の周辺の温度を検出する温度検出装置４００、湿度を検出する湿度検出装置５００、風量を検出する風量検出装置６００、雨量を検出する雨量検出装置７００、ＯＤＵ２００が取り付けられているポールの揺れを検出するポール揺れ検出装置８００が接続される。
【００６５】
このような構成において、ＩＤＵ１００の変復調部１１０に設けられたアラーム検出部１１１から変復調部１１０におけるアラーム情報を取得することができ、ＢＥＲ検出部１１２から変復調部１１０におけるＢＥＲを取得することができる。
【００６６】
また、ＯＤＵ２００のＲＦ部２１０に設けられた送受レベル検出部２１０からこの加入者無線装置の送信レベル情報および受信レベル情報を取得することができる。
【００６７】
また、ＩＤＵ１００の外部入出力部１４０に接続された温度検出装置４００からこの加入者無線装置の周辺の温度情報を取得することができ、湿度検出装置５００からこの加入者無線装置の周辺の湿度情報を取得することができ、この加入者無線装置の周辺の湿度情報を取得することができ、風量検出装置６００からこの加入者無線装置の周辺の風量情報を取得することができ、雨量検出装置７００からこの加入者無線装置の周辺の雨量情報を取得することができ、ポール揺れ検出装置８００からこの加入者無線装置のＯＤＵ２００が取り付けられているポールの揺れ情報を取得することができる。
【００６８】
これらの情報は、ＩＤＵ１００の制御／監視情報入力部１２０若しくはＯＤＵ２００の制御／監視情報入力部２２０から他の加入者無線装置に送信する無線フレームに接点情報として挿入することで他の加入者無線装置に転送することができる。
【００６９】
このようにして転送された各種情報は、他の加入者無線装置の図４に示した集約接点設定テーブルで集約されて図１に示した集中監視装置６０へ送信され、リアルタイムで集中管理される。
【００７０】
また、上記各種情報は、ＩＤＵ１００の表示部１５０に出力され、ＩＤＵ１００の表示部１５０でリアルタイムで表示される。
【００７１】
このような構成によるとＩＤＵ１００の表示部１５０の表示情報を見るだけでこの加入者無線装置の無線品質が詳細に把握することが可能になり、この加入者無線装置の据付け、保守作業の効率がアップする。
【００７２】
図７は、図６に示した加入者無線装置の各種装置の取り付け配置例を示す図である。
【００７３】
図７において、図６に示したＯＤＵ２００およびアンテナ３００は、ＯＤＵ取り付けポール９００の所定の位置に取り付けられる。
【００７４】
また、このＯＤＵ取り付けポール９００の先端部には、風量検出装置６００および雨量検出装置７００が取り付けられ、また、このＯＤＵ取り付けポール９００の中央部には、ポール揺れ検出装置８００が取り付けられる。
【００７５】
また、この加入者無線装置のＯＤＵ２００の設置位置の周辺に温度検出装置４００および湿度検出装置５００が設置される。
【００７６】
そして、ＯＤＵ２００は、屋内等に設置されたＩＤＵ１００に接続され、また、温度検出装置４００および湿度検出装置５００および風量検出装置６００および雨量検出装置７００およびポール揺れ検出装置８００もＩＤＵ１００に接続される。
【００７７】
【発明の効果】
以上説明したようにこの発明によれば、
１）ユーザが自由にシステム警報接点情報を変更することができる
２）監視制御本体プログラムおよびファイルを変更することなくシステム変更に対応でき、システムに対して柔軟な対応が可能になる
３）無線装置の無線品質が詳細に把握可能になり、装置据付け、保守作業の効率がアップする
等の効果を奏する。
【図面の簡単な説明】
【図１】この発明に係わる加入者無線システムにおける警報接点集約方法および装置を適用する加入者無線システムの全体構成を示すブロック図である。
【図２】図１に示した加入者無線装置の詳細構成を示すブロック図である。
【図３】４台の加入者無線装置を用いて２対向システムとして構成した加入者無線システムの無線装置配置例を示す図である。
【図４】図３に示したシステム構成を想定した場合の集約接点設定テーブルの一例を示す図である。
【図５】図１に示した集中監視装置に設けられた表示装置の表示イメージを示す図である。
【図６】この発明の加入者無線システムで採用される加入者無線装置の他の実施の形態を示すブロック図である。
【図７】図６に示した加入者無線装置の各種装置の取り付け配置例を示す図である。
【符号の説明】
１０−１、１０−２    加入者無線装置
１１−１、１１−２    無線装置部
１２−１、１２−２    無線フレーム警報接点情報挿入／取込部
１３−１、１３−２    無線装置監視制御部
１４−１、１４−２    警報接点外部出力ポート
１５-１、１５−２    アンテナ
２０    無線回線
３０−１、３０−２    ＳＴＭ通信路
４０    警報接点情報収集発報装置
５０    公衆網
６０    集中監視装置
７０−１、７０−２    専用保守端末
１００    ＩＤＵ（屋内ユニット）
１１０    変復調部
１１１    アラーム検出部
１１２    ＢＥＲ検出部
１２０    制御／監視情報入力部
１３０    ＣＯＵ部
１４０    外部入出力部
１５０    表示部
１６０    ＳＴＭ通信路
２００    ＯＤＵ（屋外ユニット）
２１０    ＲＦ部
２１１    送受レベル検出部
２１２    アラーム検出部
２２０    制御／監視情報入力部
３００    アンテナ
４００    温度検出装置
５００    湿度検出装置
６００    風量検出装置
７００    雨量検出装置
８００    ポール揺れ検出装置
９００    ＯＤＵ取り付けポール
【図１】
0004068294.tif 000002
【図２】
0004068294.tif 000003
【図３】
0004068294.tif 000004
【図４】
0004068294.tif 000005
【図５】
0004068294.tif 000006
【図６】
0004068294.tif 000007
【図７】
0004068294.tif 000008